(57)【要約】【課題】手動制御要素が時間設定位置にあるとき時計の秒針をゼロにリセットすることができるが、使用者が望む場合にのみ秒針がゼロにリセットされる設定装置を提案すること。【解決手段】秒表示要素(１)と、少なくとも一つの他の時間表示要素と、を含む時計の設定装置は、中立位置および他の時間表示要素の設定位置とを占める第一手動制御要素(２)と、第一手動制御要素(２)に連結する、秒表示要素(１)をゼロにリセットするための機構(３)と、を含む。リセット機構(３)は、第二手動制御要素(６)を含み、第二手動制御要素(６)を作動することにより、第一手動制御要素(２)が他の時間表示要素の設定位置にあるとき秒表示要素(１)をゼロにリセットし、第一手動制御要素(２)が中立位置にあるとき、秒表示要素(１)に影響を及ぼさないように構成されている。【選択図】図１
2007263964.tif 000002
【特許請求の範囲】
【請求項１】
秒表示要素（１）と、少なくとも一つの他の時間表示要素と、を含む時計の設定装置であって、中立位置および他の時間表示要素の設定位置を占めることができる第一手動制御要素(２)と、第一手動制御要素に連結し、秒表示要素(１)をゼロにリセットするための機構(３)と、を含み、秒表示要素(１)をゼロにリセットするための機構(３)は、第二手動制御要素(６)を含み、第二手動制御要素(６)を作動させることによって、第一手動制御要素(２)が他の時間表示要素の設定位置にあるとき秒表示要素(１)をゼロにリセットし、第一手動制御要素(２)が中立位置にあるとき秒表示要素(１)に影響を及ぼさないように構成された、
ことを特徴とする時計の設定装置。
【請求項２】
秒表示要素(１)をゼロにリセットする機構(３)は、秒表示要素(１)としっかり結合するようになっているカム(１１)と、ハンマー(９)であって、ハンマー(９)をカム(１１)に向かって移動させようとする第一ばね(１０)の作用を受けるハンマー(９)と、第二手動制御要素(６)が作動しないとき第一ばね(１０)の作用に抗してハンマー(９)を保持し、第二手動制御要素(６)が作動するときハンマー(９)を保持しない第一保持要素(７)と、第一手動制御要素(２)が中立位置にあるとき第一ばね(１０)の作用に抗してハンマー(９)を保持し、第一手動制御要素(２)が他の時間表示要素の設定位置にあるときハンマー(９)を保持しない第二保持要素(１９)と、を含む、
請求項１に記載の設定装置。
【請求項３】
第一保持要素(７)は、第二手動制御要素(６)を作動することによって第二ばね(８)の作用に抗して枢動可能な第一ロッカーであり、第一ロッカー(７)は、第二手動制御要素(６)が作動されないときハンマー(９)を保持するようにハンマー(９)の座(１５)に配置され、第二手動制御要素(６)が作動されるとき座(１５)の外にあるスタッド(１４)を含む、
請求項２に記載の設定装置。
【請求項４】
第二保持要素(１９)は、その角度位置が第一手動制御要素(２)の位置に依存する第二ロッカーであり、第二ロッカー(１９)の一端(２４)が、第一手動制御要素(２)が中立位置にあるときハンマー(９)を保持するようにハンマー(９)の係止面(２６)と協働し、第一手動制御要素(２)が他の時間表示要素の設定位置にあるとき係止面(２６)との接触が外れる、
請求項２または請求項３に記載の設定装置。
【請求項５】
係止面(２６)は、ハンマー(９)が第二ロッカー(１９)によって保持されるとき、中心が第二ロッカー(１９)の枢軸と一致する、実質的に円弧を形成する形状を有する、
請求項４に記載の設定装置。
【請求項６】
第一手動制御要素(２)は、中立位置と他の時間表示要素の設定位置との間の中間位置を占めることができ、第一手動制御要素(２)の中間位置では、第二ロッカー(１９)の端部(２４)が、ハンマー(９)を保持することができるように、係止面(２６)に接触する、
請求項５に記載の設定装置。
【請求項７】
第一手動制御要素(２)の中間位置は、日付設定位置である、
請求項６に記載の設定装置。
【請求項８】
リセット機構(３)は、秒表示要素(１)がゼロにリセットされた後、ハンマー(９)が初期位置に戻ることができるように、第一手動制御要素(２)が他の時間表示要素の設定位置から中立位置に移動する間、第二ロッカー(１９)の端部(２４)が、係止面(２６)に隣接するハンマー(９)の第二面(３３)と協働するように構成されている、
請求項４乃至請求項７のいずれか１項に記載の設定装置。
【請求項９】
第一手動制御要素(２)が他の時間表示要素の設定位置にあるとき、時計のてんぷ(３１)を止めることができるように、第二ロッカー(１９)によって作動される第一レバー(２９)を更に含む、
請求項４乃至請求項８のいずれか１項に記載の設定装置。
【請求項１０】
第一手動制御要素(２)は、中立位置と他の時間表示要素の設定位置との間で軸方向に可動な心棒であり、心棒(２)の溝内で係合するスタッド(２１)を含む第二レバー(２０)がさらに設けられ、第二レバー(２０)は、第二ロッカー(１９)を制御する、
請求項４乃至請求項９のいずれか１項に記載の設定装置。
【請求項１１】
カム(１１)は、ハート形状である、
請求項２乃至請求項１０のいずれか１項に記載の設定装置。
【請求項１２】
第一手動制御要素(２)は、中立位置と他の時間表示要素の設定位置との間で軸方向に可動な心棒であり、第二手動制御要素(６)は、押しボタンである、
請求項１乃至請求項１１のいずれか１項に記載の設定装置。
【請求項１３】
他の時間表示要素は、時表示針及び分表示針を含み、秒表示要素(１)は、時針および分針に対して偏位した、小さい針である、
請求項１乃至請求項１２のいずれか１項に記載の設定装置。
【請求項１４】
請求項１乃至請求項１３のいずれか１項に記載の設定装置を備えた時計。
【発明の詳細な説明】
【技術分野】
【０００１】
本発明は、秒針をゼロにリセットするための機構を含む、時計の設定装置に関する。
【背景技術】
【０００２】
手動制御心棒の中立位置から時間設定位置への軸方向の変位が、動きを止め、秒針を自動的にゼロにリセットする時計は、欧州特許第０９２７３８３号および欧州特許第０９３１２８２号の文献で知られている。
【発明の開示】
【発明が解決しようとする課題】
【０００３】
本発明の目的は、手動制御要素が時間設定位置にあるとき時計の秒針をゼロにリセットすることができるが、使用者が望む場合にのみ秒針がゼロにリセットされる設定装置を提案することにある。
【課題を解決するための手段】
【０００４】
このため、本発明は、秒表示要素と、少なくとも一つの他の時間表示要素と、を含む時計の設定装置であって、中立位置および他の時間表示要素の設定位置を占めることができる第一手動制御要素と、第一手動制御要素に連結し、秒表示要素をゼロにリセットするための機構と、を含み、秒表示要素をゼロにリセットするための機構は、第二手動制御要素を含み、第二手動制御要素を作動させることによって、第一手動制御要素が他の時間表示要素の設定位置にあるとき、秒表示要素をゼロにリセットし、第一手動制御要素が中立位置にあるとき秒表示要素に影響を及ぼさないように構成されていることを特徴とする設定装置を提供する。
【０００５】
この装置の特定の実施が、添付の従属項２乃至１３で画成される。本発明は、また、このような設定装置を含む、例えば腕時計などの時計を提案する。
【０００６】
本発明の他の特徴および利点が、添付図面を参照して提供される次の詳細な説明から明らかになるであろう。
【発明を実施するための最良の形態】
【０００７】
図１乃至図３は、腕時計のような時計を設定するための、本発明による装置を示す。時計は、中央の時表示針および分表示針（図示せず）と、時針及び分針に対して偏位した小さい秒表示針１と、を含む。本発明による設定装置は、第一手動制御要素２と、第一手動制御要素２に連結し、秒針１をゼロにリセットするための機構３と、を含む。
【０００８】
第一手動制御要素２は、使用者によって操作される竜頭５で終端する従来の心棒の形態のものである。心棒２は、巻き上げまたは設定心棒として知られ、三つの別の軸方向位置、即ち、中立位置または巻き上げ位置（図１）、日付を設定するための中間引出位置（図２）、および時間を設定するための完全引出位置（図３）を占めることができる。心棒２のこれら三つの軸方向位置では、使用者は、示されないが本来備わっている既知の機構によって、軸線周りに心棒２を回転させることにより、それぞれ、時計の主ぜんまいを巻き上げ、時計の日付表示を設定し、時針及び分針を設定することができる。
【０００９】
秒針１をゼロにリセットするための機構３は、６で概略的に示される押しボタンタイプの秒手動制御要素と、ばね８の作用を受ける作動ロッカー７と、ばね１０の作用を受けるハンマー９と、秒針１をしっかり連結することができるように秒針１のシャフトに取り付けられるハート形状のカム１１と、秒ロッカー１９と、設定レバー２０と、を含む。
【００１０】
作動ロッカー７は、枢軸１２のレベルで角度付けられ、押しボタン６によって制御される可動支柱１３に対してばね８によって接触が維持される第一端と、図面の平面の外側に延びる円筒スタッド１４を保持する第二端と、を有する。作動ロッカー７は、押しボタン６を作動することによって、静止位置（図１及び図２、図３では点線で指示される位置）からリセット作動位置（図３では実線で指示される位置）まで枢動されることができ、その作動は、支柱１３を図３に点線で示された位置から実線で示された位置まで移動させ、それによってロッカー７の第一端を押す。押しボタン６の圧力が解放されると、作動ロッカー７は、ばね８の作用の下で、静止位置に戻る。作動ロッカー７の静止位置では、スタッド１４は、ハンマー９の一端に形成された適切な寸法の半円筒座部を有するＵ形状の座１５に係合され、それにより、枢軸１６を中心にハート形状カム１１に向かってハンマー９を枢動させようとするばね１０によって発揮される作用に抗してハンマー９を保持する。
【００１１】
枢軸１６の座１５とは反対側で、ハンマー９は、二つのアーム１７，１８に分割されている。第一アーム１７は、ハート形状カム１１と協働するように作られた打撃面１７ａを含む。第二アーム１８は、以下に説明するように、秒ロッカー１９と協働する。
【００１２】
本来備わっている既知の方法で、設定レバー２０は、巻き上げ心棒２の溝に収まったスタッド２１を含むレバーの形態のものである。設定レバー２０にしっかり結合されたピン２２が、ロッカー１９の一端に形成された長孔２３に収容される。ピン２２と孔２３の間の協働により、設定レバー２０は、巻き上げ心棒２の軸方向位置の作用として、ロッカー１９を枢動させることができる。かくして、ロッカー１９は、巻き上げ心棒２の三つの軸方向位置に対応する三つの異なる角度位置を占める。巻き上げステム２の中立位置および日付設定位置に対応する最初の二つの角度位置（図１及び図２）では、ロッカー１９は、ピン２２を受け入れる端部と反対側で、枢軸２５の他方の側に配置される端部２４を介して、ハンマー９のアーム１８のわずかにへこんだ係止面２６と協働し、上述のように、ハンマー９をハート形状カム１１に向かって枢動させようとするばね１０によって発揮される作用に抗してハンマー９を保持することができる。係止面２６は、ハンマー９がロッカー１９によって保持されるとき（図１及び図２）、中心がロッカー１９の枢軸２５と一致する円弧を形成する形状を有する。かくして、最初の二つの角度位置間のロッカー１９の枢動は、ハンマー９に影響を及ぼさず、ハート形状カム１１に向かう枢動を阻止したままである。心棒２の時間設定位置に対応するロッカー１９の第三の位置（図３）では、ロッカー１９の端部２４は、アーム１８とは接触せず、ハンマー９がハート形状カム１１に向かって枢動するのを阻止しない。
【００１３】
ピン２２を受け入れる端部と枢軸２５の同じ側に、ロッカー１９は、係止レバー２９の円筒端部２８が連節される半円筒座部を有するＵ形状の座２７を含む。ロッカー１９の一つの位置から他の位置への枢動は、レバー２９の端部２８を座２７内へスライドさせ、レバー２９を枢軸３０を中心に枢動動作するように駆動する。かくして、レバー２９は、巻き上げ心棒２の三つの軸方向位置に対応する、三つの異なる角度位置を占めることができる。心棒２の中立位置および日付設定位置（図１及び図２）に対応するレバー２９の二つの位置では、レバー２９は、３１で指示される、時計のてんぷとの接触が外れる。心棒２の時間設定位置に対応するレバー２９の第三の位置では、端部２８と反対のレバー２９の端部としっかり結合するピン３２は、てんぷ３１の周囲に接触し、てんぷ３１の回転を阻止する。
【００１４】
本発明による機構は、次のように作用する。
【００１５】
巻き上げ心棒２が中立位置（図１）にあるとき、ロッカー１９の端部２４は、アーム１８の遠位端近くに配置される地点でハンマー９の係止面２６と接触し、かくしてハンマー９を保持してハート形状カム１１に向かって枢動するのを阻止する。レバー２９のピン３２は、てんぷ３１との接触が外れ、したがって、時針、分針、および秒針の回転を可能にするように普通に振動することができる。心棒２のこの位置では、使用者が押しボタン６を押すと、作動ロッカー７のスタッド１４がハンマー９の座１５から外に移動するが、これは、ロッカー１９によって保持されるハンマー９の位置には影響を及ぼさず、普通に回転し続ける秒針１の位置にも影響を及ぼさない。
【００１６】
巻き上げ心棒２が中立位置から中間日付設定位置（図２）まで引き出されると、ロッカー１９の端部２４は、ハンマー９の係止面２６上でアーム１８の近位端に向かって、この面２６の所定地点までスライドする。かくして、ロッカー１９の端部２４は、アーム１８との接触を保持し、それによってハンマー９を保持して依然としてハート形状カム１１に向かって枢動するのを阻止する。同時に、レバー２９のピン３２は、てんぷ３１に近づいて移動するが、てんぷ３１との接触は外れたままである。かくして、てんぷ３１は、時針、分針、及び秒針の回転を可能にするように、普通に振動し続けることができる。心棒２の中間日付設定位置では、使用者が押しボタン６を押すと、作動ロッカー７のスタッド１４は、ハンマー９の座１５から外に移動するが、ロッカー１９によって保持されるハンマー９の位置には影響が及ぼさず、したがって、普通に回転し続ける秒針１の位置にも影響を及ぼさない。
【００１７】
巻き上げ心棒２が中間日付設定位置から最も外方の時間設定位置（図３）まで引き出されると、レバー２９のピン３２は、てんぷ３１と接触してこれを停止させ、かくして時針、分針、および秒針を止める。同時に、ロッカー１９の端部２４は、ハンマー９のアーム１８の近位端に向かって枢動し、係止面２６から遠ざかるやいなや、ハンマー９との接触を失う。そして、ハンマー９は、ロッカー１９によって保持されなくなり、座１５に収まった作動ロッカー７のスタッド１４によってのみ保持される。最も外方の、心棒２の時間設定位置では、使用者が押しボタン６を押すと、スタッド１４が座１５の外に移動する。ハンマー９は、スタッド１４によって保持されなくなり、ばね１０によって駆動され、ハート形状カム１１を打つと、ハート形状カム１１は、回転し始め、ハート形状カム１１のベースが打撃面１７ａと接触するまで、ハンマー９の打撃面１７ａに沿ってスライドし、かくして秒針１をゼロにリセットする。この秒針１のゼロへのリセットは、本来備わっている既知の方法で、輪列に係合する秒針ピニオン及び歯車が、ハート形状カム１１および秒針１が取り付けられる秒針１のシャフトに摩擦取付されることによって可能となる。
【００１８】
秒針１がゼロにリセットされた後、ハンマー９は巻き上げ心棒２を、最も外方の時間設定位置から中間日付設定位置まで押すことによって、初期位置に戻る。この巻き上げ心棒２の移動中、ロッカー１９の端部２４は、アーム１８の遠位端に向かって戻り、係止面２６に隣接した、より性格にはアーム１８の近位端と係止面２６との間に配置されたアーム１８のわずかにへこんだ面３３に沿ってスライドしながらこれを押す。ロッカー１９の端部２４が面３３に及ぼす押圧は、ハンマー９が、ロッカー１９の端部２４が係止面２６と接触して静止位置にある作動ロッカー７のスタッド１４が座１５内にある初期位置に戻るまで、ばね１０の作用に抗してハンマー９を起こす。ハンマー９が初期位置に戻ると、作動ロッカー７はスタッド１４の作動によって枢動し、スタッド１４は、座１５内に収まる、即ち初期位置に戻ることができる。
【００１９】
上述のように設定装置では、巻き上げ心棒２が時間設定軸方向位置にあるとき、秒針１のゼロへのリセットは、自動的には起こらず、押しボタン６を押すことによる使用者からの要求によって起こることが明白である。かくして、使用者は、秒針１をゼロにリセットするか否かを決定することができる。使用者は、また、例えば時針および秒針の設定後、秒針１をゼロに設定するか否かを決定することができる。さらに、秒針１をゼロにリセットする機能は、巻き上げ心棒２の軸方向位置に連結したままであり、かくして、例えば、巻き上げ心棒２が時間設定位置にあるときのみ、秒針１をゼロにリセットすることを可能にする。
【図面の簡単な説明】
【００２０】
【図１】装置の巻き上げ心棒が中立位置にある構成の、本発明による設定装置の平面図である。
【図２】巻き上げ心棒が中間引出位置にある構成の、本発明による設定装置の平面図である。
【図３】巻き上げステムが完全引出位置にある構成の、本発明による設定装置の平面図である。
【符号の説明】
【００２１】
１  秒針
２  巻き上げ心棒（第一手動制御要素）
３  秒針をゼロにリセットするための機構
６  押しボタン（秒手動制御要素）
７  作動ロッカー
８  ばね
９  ハンマー
１０  ばね
１１  ハート形状カム
１４  スタッド
１５  座
１９  秒ロッカー
２０  設定レバー
２１  スタッド
２４  端部
２５  枢軸
２６  係止面
２９  係止レバー
３１  てんぷ
３３  面
【図１】
2007263964.tif 000003
【図２】
2007263964.tif 000004
【図３】
2007263964.tif 000005